(57)【要約】【課題】テンションベルトの端部において、いずれか一方のテンションベルトにのみ荷重が集中するのを回避する。【解決手段】テンションベルト１６の端部には、Ｄ環付金具１８の取付金具部１８Ａに対応して取付板１７が取り付けられている。取付板１７とテンションベルト１６との間に、上下二列のテンションベルト１６の端部のＤ環付金具１８の取付金具部１８Ａの間にまたがって、１枚の矩形状の連結板１が設けられている。【選択図】図１
2015214820.tif 000002
【特許請求の範囲】
【請求項１】
水に浮かべて設置されほぼ一定の間隔で配置される複数のフロートを有するフロート部に、下部に重錘が取り付けられたカーテンの上部が取り付けられることにより前記カーテンが水中に吊り下げられ、前記カーテンに、カーテン長手方向に沿ってテンションベルトが上下二列に設けられ、前記各テンションベルトの端部にＤ環付金具の取付金具部が取り付けられている汚濁拡散防止装置であって、
前記上下二列のテンションベルト端部のＤ環付金具の取付金具部の間にまたがって、連結板が設けられていることを特徴とする汚濁拡散防止装置。
【請求項２】
前記テンションベルトの端部には、前記Ｄ環付金具の取付金具部に対応して取付板が取り付けられおり、
前記連結板は、前記取付板と前記テンションベルトとの間に設けられていることを特徴とする請求項１記載の汚濁拡散防止装置。
【請求項３】
前記カーテンの端部において、前記上下二列のテンションベルト端部のＤ環付金具の両Ｄ環がそれぞれ第１のシャックルに結合され、前記第１のシャックルが１つのリングを介して、係留ロープの端部に設けられた第２のシャックルに結合されていることを特徴とする請求項１または２記載の汚濁拡散防止装置。
【発明の詳細な説明】
【技術分野】
【０００１】
本発明は、浚渫、埋立などの工事に伴い発生する汚濁物質の水中での拡散を防止するための汚濁拡散防止装置に関するものである。
【背景技術】
【０００２】
従来、汚濁拡散防止装置として、浚渫、埋立などの工事に伴い発生する汚濁物質の水中での拡散を防止するために、水面に浮かべたフロート部に、下部に重錘が取り付けられたカーテン（汚濁拡散防止膜）の上部が取り付けられることにより前記カーテンが水中に吊り下げられ、係留索、アンカーなどの係留手段により所定の位置に係留されるものは知られている（例えば、特許文献１参照）。
【０００３】
そのような汚濁拡散防止装置１１は、例えば図３及び図４（ａ）（ｂ）（ｃ）に示すように、水に浮かべて設置されほぼ一定の間隔で配置される複数のフロート１２を有するフロート部１３に、下部に重錘としてのチェーン１４が取り付けられたカーテン１５の上部が取り付けられることによりカーテン１５が水中に吊り下げられ、カーテン１５に、カーテン長手方向に沿ってテンションベルト１６が上下二列に設けられている。
【０００４】
隣り合うカーテン１５どうしの結合は、テンションベルト１６どうしについては、図３に示すように、テンションベルト１６の端部に矩形状の取付板１７を設け、その上にＤ環付金具１８の取付金具部１８Ａを取り付け、対応するＤ環付金具１８のＤ環１８Ｂどうしをシャックル１９で結合している。また、カーテン１５どうしについては、シート結束ロープ２０で結束している。また、カーテン１５の上下方向の中間位置に設けられるベルト２１Ａ，２１Ｂや下部に設けられるベルト２２も、同様に、Ｄ環付金具２３やシャックル２４を用いて結合されている。
【０００５】
そして、設置場所の大きさに応じて、前述したように、複数のカーテン１５を結合して設置される。
【０００６】
また、端部に位置するカーテン１５のテンションベルト１６については、図４（ａ）（ｂ）（ｃ）に示すように、ベルト端部に取付板１７を取り付け、その上にＤ環付金具１８の取付金具部１８Ａ（取付板１７より小さい矩形状）を取り付け、Ｄ環１８Ｂに第１のシャックル１９、１つのリング２５及び第２のシャックル２６を介して、係留ロープ２７に結合されている。なお、取付金具部１８Ａに対しＤ環１８Ｂが取付部１８Ｃを介して回転可能に設けられている。
【先行技術文献】
【特許文献】
【０００７】
【特許文献１】特開２００５−３５１０７３号公報
【発明の概要】
【発明が解決しようとする課題】
【０００８】
上下二列に設けれたテンションベルト１６の端部のＤ環付金具１８のＤ環１８Ｂをそれぞれシャックル１９を介して１つのリング２３に結合するようにしているので、各Ｄ環付金具１８（取付板１７）がそれぞれ独立して運動できるようになっている。そのため、テンションベルト１６を上下二列に設けているにもかかわらず、いずれか一方のテンションベルト１６にのみ荷重が集中して作用してしまうという不具合がある。
【０００９】
本発明は、前述したようなテンションベルトの端部において、いずれか一方のテンションベルトにのみ荷重が集中して作用するのを回避できる汚濁拡散防止装置を提供することを目的とする。
【課題を解決するための手段】
【００１０】
請求項１の発明は、水に浮かべて設置されほぼ一定の間隔で配置される複数のフロートを有するフロート部に、下部に重錘が取り付けられたカーテンの上部が取り付けられることにより前記カーテンが水中に吊り下げられ、前記カーテンに、カーテン長手方向に沿ってテンションベルトが上下二列に設けられ、前記各テンションベルトの端部にＤ環付金具の取付金具部が取り付けられている汚濁拡散防止装置であって、前記上下二列のテンションベルト端部のＤ環付金具の取付金具部の間にまたがって、連結板が設けられていることを特徴とする。
【００１１】
このようにすれば、上下二列のテンションベルト端部のＤ環付金具の取付金具部の間にまたがって、連結板が設けられていることから、両Ｄ環付金具の取付金具部が連結板を介して一体に結合され、一方のテンションベルト（Ｄ環付金具）に集中して荷重が作用するのが回避される。
【００１２】
この場合、請求項２に記載のように、前記テンションベルトの端部には、前記Ｄ環付金具の取付金具部に対応して取付板が取り付けられおり、前記連結板は、前記取付板と前記テンションベルトとの間に設けられていることが望ましい。
【００１３】
このようにすれば、連結板に取付板を取り付けることになるので、取付けのための必要な強度は確保される。
【００１４】
請求項３に記載のように、前記カーテンの端部において、前記上下二列のテンションベルト端部のＤ環付金具の両Ｄ環がそれぞれ第１のシャックルに結合され、前記第１のシャックルが１つのリングを介して、係留ロープの端部に設けられた第２のシャックルに結合されている構成とすることができる。
【００１５】
このようにすれば、係留ロープからの荷重が、一方のテンションベルト（Ｄ環付金具）に集中して荷重が作用するのが回避される。
【発明の効果】
【００１６】
本発明は、上下二列のテンションベルト端部のＤ環付金具の取付金具部の間にまたがって、連結板を設けているので、両Ｄ環付金具の取付金具部を連結板を介して一体に結合し、荷重分散を図ることができる。よって、一方のテンションベルト（Ｄ環付金具）に集中して荷重が作用するのを回避することができる。
【図面の簡単な説明】
【００１７】
【図１】本発明に係る汚濁拡散防止膜装置の一実施の形態の要部を示し、（ａ）はＤ環付金具を取り外した状態を示す正面図、（ｂ）はＤ環付金具に係留ロープを結合した状態の正面図である。
【図２】前記汚濁拡散防止膜装置におけるカーテン同士の結合部分を示す正面図である。
【図３】従来の汚濁拡散防止膜装置におけるカーテン同士の結合部分の説明図である。
【図４】従来の汚濁拡散防止膜装置におけるカーテンの端部を示し、（ａ）は平面図，（ｂ）は正面図、（ｃ）はＤ環付金具を取り外した状態を示す正面図である。
【発明を実施するための形態】
【００１８】
以下、本発明の実施の形態を図面に沿って説明する。
【００１９】
図１は本発明に係る汚濁拡散防止膜装置の一実施の形態の要部を示し、（ａ）はＤ環付金具を取り外した状態を示す正面図、（ｂ）はＤ環付金具に係留ロープを結合した状態の正面図である。
【００２０】
本発明は、水に浮かべて設置されほぼ一定の間隔で配置される複数のフロート１２を有するフロート部１３に、下部に重錘（チェーン１４）が取り付けられたカーテン１５の上部が取り付けられることによりカーテン１５が水中に吊り下げられ、カーテン１５に、カーテン長手方向に沿ってテンションベルト１６が上下二列に設けられ、各テンションベルト１６の端部にＤ環付金具１８の取付金具部１８Ａが取り付けられている汚濁拡散防止装置１１である点は従来と同様であるが、連結板１，１Ａを、図１（ａ）（ｂ）および図２に示すように、上下二列のテンションベルト１６の端部のＤ環付金具１８の取付金具部１８Ａの間にまたがって設けている点が特徴である。
【００２１】
具体的には、連結板１，１Ａは、矩形状で、取付板１７とＤ環付金具１８の取付金具部１８Ａとの間に、上下に平行に配置される両取付金具部１８Ａの間にまたがって設けられている。つまり、カーテン１５側から、テンションベルト１６、取付板１７、連結板１，１ＡおよびＤ環付金具１８の取付金具部１８Ａが順に設けられている。これにより、連結板１，１Ａによって、２つのＤ環付金具１８の取付金具部１８Ａが連結され、それらの部品３点が一体化されている。
【００２２】
このように、上下二列のテンションベルト１６，１６の端部のＤ環付金具１８の取付金具部１８Ａの間にまたがって、連結板１，１Ａが設けられていることから、両Ｄ環付金具１８の取付金具部１８Ａが連結板１，１Ａを介して一体に結合され、一方のテンションベルト１６（Ｄ環付金具１８）に集中して荷重が作用するのが回避される。つまり、係留ロープ２７からの荷重が、一方のテンションベルト１６（Ｄ環付金具１８）に集中して作用するのが回避される。
【００２３】
本発明は、前記実施の形態のほか、次のように変更して実施することも可能である。
(i)連結板１，１Ａは、２つの取付板１７とＤ環付金具１８の取付金具部１８Ａとの間に設けているが、２つの取付板１７とテンションベルト１６との間に設けることも可能である。また、取付金具部１８Ａが設けられていない部分のみを連結板にて連結して、一体化することも可能である。
(ii)前記実施の形態では、各テンションベルトは一層のみであるが、複数層とすることも可能である。つまり、前記実施の形態では、カーテンの前後で上下二列設けられ、表裏で４本であるが、いずれかのテンションベルトを２層にして５本とすることができる。その場合であっても、その２層であるテンションベルトの部分と１層であるテンションベルトの部分とで荷重負担がアンバランスとなりやすいが、連結板で連結しておければ、そのようなアンバランスは解消される。
【符号の説明】
【００２４】
１，１Ａ  連結板
１２  フロート
１３  フロート部
１５  カーテン
１６  テンションベルト
１７  取付板
１８  Ｄ環付金具
１８Ａ  取付金具部
１８Ｂ  Ｄ環
１４  チェーン
【図１】
2015214820.tif 000003
【図２】
2015214820.tif 000004
【図３】
2015214820.tif 000005
【図４】
2015214820.tif 000006